(57)【要約】ケーブル（１０）は、複数の相互に絶縁された伝導体（１２、１４、１６、１８、２０）と、前記伝導体からの無線周波の発信を防ぐための前記伝導体を囲み前記伝導体から絶縁された抵抗層（２８）とを有する。前記伝導層を構成する物質のバルク抵抗は、前記伝導体を構成する物質のバルク抵抗よりも大きい。前記抵抗層の厚さは表皮深度δよりも大きくても良い。ここでσは前記物質の伝導率、ｆは周波数、μｒは真空の透磁率に対する比透磁率、μ０は真空の透磁率である。前記厚さは典型的には前記表皮深度の２倍と１０倍との間である。
2004533101.tif 000002
【特許請求の範囲】
【請求項１】
少なくとも１つの伝導体と、前記少なくとも１つの伝導体を囲み前記少なくとも１つの伝導体から絶縁された抵抗層を有するケーブルであって、
前記抵抗層を構成する物質のバルク抵抗は、前記少なくとも１つの伝導体を構成する物質のバルク抵抗よりも大きいケーブル。
【請求項２】
前記抵抗層の厚さは表皮深度δよりも大きく、表皮深度δは、
【数１】
2004533101.tif 000005
と等しく、ここでσは前記物質の伝導率、ｆは周波数、μｒは真空の透磁率に対する比透磁率、μ０は真空の透磁率であることを特徴とする、請求項１に記載のケーブル。
【請求項３】
前記抵抗層に囲まれた複数の相互に絶縁された伝導体を特徴とする、請求項１又は２に記載のケーブル。
【請求項４】
前記抵抗層の厚さは、表皮深度δの２倍と１０倍との間であることを特徴とする、請求項１乃至３のいずれか一項に記載のケーブル。
【請求項５】
前記抵抗層は柔軟性があることを特徴とする、請求項１乃至４のいずれか一項に記載のケーブル。
【請求項６】
前記抵抗層はカーボンを基にした抵抗性の物質のものであることを特徴とする、請求項１乃至５のいずれか一項に記載のケーブル。
【請求項７】
前記抵抗層はグラファイトを有することを特徴とする、請求項１乃至５のいずれか一項に記載のケーブル。
【請求項８】
前記抵抗層はカーボンを充填されたシリコンを有することを特徴とする、請求項１乃至５のいずれか一項に記載のケーブル。
【請求項９】
前記抵抗層は編み組まれたカーボンファイバを有することを特徴とする、請求項１乃至５のいずれか一項に記載のケーブル。
【請求項１０】
前記抵抗層はグラファイト入りのプラスチックを有することを特徴とする、請求項１乃至５のいずれか一項に記載のケーブル。
【請求項１１】
送信装置と、受信装置と、前記送信装置及び受信装置を共に電気的に結合させるための請求項１乃至１０のいずれか一項に記載のケーブルを含む装置。
【発明の詳細な説明】
【技術分野】
【０００１】
本発明は、無線周波信号の不要な放射を抑制する無線周波抑制ケーブルに関する。かようなケーブルは、無線周波テスト及び測定の目的のために利用されるような装置及び／機器を相互接続するために利用され得る。
【背景技術】
【０００２】
多くの機器並びに固定及び携帯用の装置において、回路板、装置及び付属物を、柔軟な伝導性のリンクを用いて相互接続する要求がある。しかしながら、無線周波放射に関する規定に準拠するためには、これらの柔軟な伝導性のリンクから無線周波放射の漏れを抑制する必要がある。
【発明の開示】
【発明が解決しようとする課題】
【０００３】
１つの良く知られた手法は、動作中は通常アースされる管状で編み組まれた金属製の遮蔽伝導体から絶縁され該遮蔽伝導体に伝導体が囲まれた、同軸ケーブルを利用することである。多くの同軸ケーブルの柔軟性の度合いは限られており、従って同軸ケーブルをＴＶアンテナ導線のような固定されて配置される機器及び静的な応用における利用に適したものとしている。前記管状で編み組まれた遮蔽伝導体は、スプリアス（spurious）電流が前記ケーブルの外側を流れることを許容してしまうという欠点を持つ。特定の応用において、個人的な応用において利用されるケーブルにサポートされる場合に定在波が報告されており、このことはこれらの定在波とユーザとの間の結合による高い比吸収率（ＳＡＲ）の推測へ導いてきた。
【０００４】
不要な無線信号の伝搬を減少する他の知られた手法においては、無線周波電流を生成する機器へのケーブルの接続点にできるだけ近い位置において該ケーブルにフェライトビーズ（ferrite bead）が巻き付けられる。１つ又は複数のフェライトビーズを利用することの欠点は、該フェライトビーズは堅いため前記ケーブルの柔軟性を減少させてしまい、また放射が該フェライトビーズの近傍でのみ抑制され、フェライトビーズ間では抑制されないという点である。
【０００５】
本発明の目的は、ケーブルの略全長に渡って無線周波抑制を提供することにある。
【課題を解決するための手段】
【０００６】
本発明によれば、少なくとも１つの伝導体と、前記少なくとも１つの伝導体を囲み前記少なくとも１つの伝導体から絶縁された抵抗層を有するケーブルであって、前記抵抗層を構成する物質のバルク抵抗は、前記少なくとも１つの伝導体を構成する物質のバルク抵抗よりも大きいケーブルが提供される。
【０００７】
本発明の実施例においては、前記抵抗層の厚さは表皮深度δよりも大きく、表皮深度δは、
【数２】
2004533101.tif 000003
と等しく、ここでσは前記物質の伝導率、ｆは周波数、μｒは真空の透磁率に対する比透磁率、μ０は真空の透磁率である。
【０００８】
本発明によって作成されるケーブルは、該ケーブルの全長に渡って連続的な無線周波抑制を提供する。前記ケーブル中の伝導体の数及びサイズによって、該ケーブルは、携帯用の機器及び付属物と共に利用されることがきるように比較的薄く柔軟であっても良く、又は固定されて据え付けられる設備を相互接続するために利用されることができるように、より柔軟性がなくても良い。前記抵抗層を備えることは、そうしなければ存在し得るいずれの定在波をも抑制するように働く。
【０００９】
前記抵抗層の厚さは表皮深度の２倍と１０倍との間であっても良い。
【００１０】
前記抵抗物質は、グラファイト、又はグラファイトのフィラメント若しくはグラファイト入りの（graphite loaded）プラスチックから作られた編み組まれたカーボンファイバのようなカーボンを基にした物質を有しても良い。
【発明を実施するための最良の形態】
【００１１】
本発明は、添付する図を参照しながら以下に例として説明される。
【００１２】
図において、同一の参照番号は、対応する特徴を示すために用いられている。
【００１３】
図１に示されるケーブルは、相互に互いから絶縁された５個の伝導体１２、１４、１６、１８及び２０を絶縁空間２２に有する。伝導体１８は付加的な絶縁層２４を持つ。絶縁空間２２は、それぞれの前記伝導体が自身の絶縁皮膜を持たない場合には絶縁性のプラスチックで満たされる。しかしながら被覆されている場合は、代替として絶縁空間２２は空気誘電体を有することができる。同軸の伝導性の遮蔽は絶縁空間２２を囲む。外側の絶縁プラスチック皮膜３０が具備され、抵抗層２８が伝導性の遮蔽２６と外側の皮膜３０との間に配置される。
【００１４】
ケーブル１０の断面のサイズ及びそれぞれの部分を構成する物質は、特定のユーザ応用のために選択される。
【００１５】
伝導体１２、１４、１６、１８及び２０は固体であって幾つかのより線を有しても良く、銅、アルミニウム及びスチールといったケーブル製造において通常利用される物質のいずれの１つであっても良い。絶縁空間２２を満たす物質、及び絶縁層２４を形成する物質は、ＰＶＣ（ポリビニルクロライド）、シリコンベースのプラスチック及びゴム、並びにＰＴＦＥ（ポリテトラフルオロエチレン）のような、ケーブル作成に通常利用される物質を有しても良い。
【００１６】
抵抗層２８は、伝導体１２、１４、１６，１８又は２０及び伝導性の遮蔽からの無線周波信号の放射を抑制するために備えられる。効果的に機能することが可能なように、抵抗層２８において利用される物質のバルク抵抗が、第一に伝導性物質のバルク抵抗よりも非常に高いが、第二に前記無線周波の場が依然として前記伝導体と結合するほど大きくないことが必要である。この第二の制限は以下に幾分詳細に議論される。
【００１７】
伝導性の／抵抗性の物質が無線周波の場にさらされると、電流が前記物質の表面上又は表面の近くを流れる。最大の電流密度は前記表面上にあり、前記電流は前記表面から離れると指数関数的に減衰する。この減少は「表皮効果（skin effect）」と呼ばれる。前記電流密度が最初の値の１／ｅにまで降下する距離は、表皮深度（skin depth）δと呼ばれる。表皮深度δは以下に等しい：
【数３】
2004533101.tif 000004
ここで、σは物質の伝導率、ｆは周波数、μｒは真空の透磁率に対する比透磁率、μ０は真空の比透磁率である。殆ど全ての物質についてμｒは１に近い。
【００１８】
表皮深度と同じ又は表皮深度よりも少ない厚さの物質は、該物質が囲むものを電場の影響から遮蔽するのに効果が無い。かような物質がケーブルの無線遮蔽としての所期の目的のために利用された場合、無線周波信号は依然として前記ケーブルの伝導体１２乃至２０と結合し、（幾分減衰された）（ことによると共振の）無線周波電流を助長し得る。それ故層２８を形成する抵抗物質は、該抵抗物質の表皮深度よりも幾分厚いべきであり、例えば前記表皮深度の２乃至１０倍が、許容できる厚さとしてしばしば選択される。
【００１９】
携帯用の機器を相互接続するために適切なケーブルは、数ミリメータのオーダーの厚さを持ち得る。４ミリメータの直径のケーブルでも、幾つかの応用のためには厚いと考えられる。許容できないほど厚いケーブルを作成することを回避するため、抵抗層２８の厚さは約０．５ｍｍの厚さであるべきであり、これによって直径を１ｍｍ増加させる。数値の例として、９００ＭＨｚで動作し、前記抵抗層のために表皮深度厚さの５倍という要件を持つケーブルを利用する機器を考える。これらの要件は上述の式に代入され、項を再構成し、約２８０００Ｓ／ｍ（シーメンス毎メートル）より大きい値を持つ、前記物質の伝導率σを与える。この値は、例えば５．７×１０６Ｓ／ｍである銅及び１．１×１０６Ｓ／ｍであるステンレスのような、全ての一般に利用される金属の伝導性よりかなり低い。グラファイトは約７×１０４Ｓ／ｍの伝導性を持ち、抵抗性のある応用により良く知られている。
【００２０】
グラファイトは、そのバルク抵抗のため、幾つかの観点から抵抗層２８のために有用な物質である。グラファイトは幾つかの方法で利用されても良い。例えばグラファイトは、幾分の柔軟性を持つ薄いフィラメントにグラファイトを押し出し成型することにより形成されるカーボンファイバの形にされることができる。カーボンファイバを作成し折り合わせるための技術は良く確立されており、それ故抵抗層は経済的に製造されることができる。他の例においては、前記抵抗層は、固体グラファイトの抵抗率を超えて抵抗率が増加した物質を与えるため高い濃度のグラファイト粉末を入れられたプラスチックから構成されることができる。
【００２１】
グラファイトのバルク伝導率と全ての一般的な金属のバルク伝導率とは、表皮効果のために約１０００倍異なるが、無線周波における伝導率は、バルク伝導率の平方根だけ異なる。従って、抵抗層２８の抵抗は、外部の無線周波場から隔離されている伝導体１２乃至２０の抵抗よりも約３０倍大きい。
【００２２】
図２を参照すると、前記機器は、本発明により作成されたケーブル１０によって受信装置３４に結合された送信装置３２を有する。装置３２及び３４は無線周波テスト及び測定装置又は機器、並びに携帯型無線環境における利用のための装置を有しても良い。
【００２３】
抵抗層２８はケーブル１０からの放射の抑制として説明されたが、抵抗層２８は外部のｒｆ放射が前記伝導体に達するのをも抑制し得る。
【００２４】
本明細書及び請求項において、要素に先行する「１つの（「a」又は「an」）」という語は、複数のかような要素の存在を除外するものではない。更に、「有する（comprise）」という語は、列記されたもの以外の要素又はステップの存在を除外するものではない。
【００２５】
本開示を読むことにより、他の変更が当業者には明確であろう。かような変更は、無線周波抑制ケーブル及び該ケーブルのための構成部分の設計、製造及び仕様において既に知られた、ここで既に開示された特徴の代わりに又は該特徴に加えて使用されても良い、他の特徴を含んでも良い。
【図面の簡単な説明】
【００２６】
【図１】本発明によって作成された低周波多芯ケーブルの実施例の横断面図を示す。
【図２】本発明によって作成されたケーブルによって相互接続された装置を有する機器のブロック模式図である。
【国際公開パンフレット】
2004533101.tif 000006
2004533101.tif 000007
2004533101.tif 000008
2004533101.tif 000009
2004533101.tif 000010
2004533101.tif 000011
2004533101.tif 000012
2004533101.tif 000013
2004533101.tif 000014
2004533101.tif 000015
【国際調査報告】
2004533101.tif 000016
2004533101.tif 000017